(57)【特許請求の範囲】
【請求項１】
有機性可燃物の焼却時に発生する排ガスに、水又は海水を接触させて、排ガス中の有害物を水又は海水に溶解させて除去し、
それによって得られる有害物含有排水を栄養源として、油脂を生成蓄積する能力を有する従属栄養性藻類を培養することにより、前記有害物含有排水を浄化するとともに、前記従属栄養性藻類に油脂を蓄えさせ、
前記培養によって油脂を蓄えた前記従属栄養性藻類を固液分離して回収することを特徴とする排ガス処理方法。
【請求項２】
前記固液分離された前記従属栄養性藻類から、更に前記油脂を回収する、請求項１に記載の排ガス処理方法。
【請求項３】
前記従属栄養性藻類は、オーランチオキトリウム属、パリエチキトリウム属、シゾキトリウム属、スロストキトリウム属から選ばれた１種又は複数種である、請求項１又は２に記載の排ガス処理方法。
【請求項４】
前記有害物含有排水のｐＨが４〜８となるようにｐＨ調整して、前記従属栄養性藻類の培養を行う、請求項１〜３のいずれか１項に記載の排ガス処理方法。
【請求項５】
前記有害物含有排水のＣ／Ｎ比が１〜４０となるように有機性排水を加えて、前記従属栄養性藻類の培養を行う、請求項１〜４のいずれか１項に記載の排ガス処理方法。
【請求項６】
有機性可燃物の焼却時に発生する排ガスに、水又は海水を接触させて、排ガス中の有害物を水又は海水に溶解させて除去する湿式洗浄装置と、
前記湿式洗浄装置で得られる有害物含有排水を栄養源として、油脂を生成蓄積する能力を有する従属栄養性藻類を培養することにより、前記有害物含有排水を浄化するとともに、前記従属栄養性藻類に油脂を蓄えさせるための排水処理槽と、
前記培養によって油脂を蓄積した従属栄養性藻類を回収する固液分離装置を備えることを特徴とする、排ガス処理装置。
【請求項７】
前記油脂を蓄積した前記従属栄養性藻類から、更に前記油脂を回収する油脂回収装置を備える、請求項６に記載の排ガス処理装置。
【請求項８】
前記排水処理槽は、水素イオン濃度計と、該水素イオン濃度計によって求められるｐＨに応じてｐＨ調整剤を供給するｐＨ調整装置とを備える、請求項６又は７に記載の排ガス処理装置。
【請求項９】
前記排水処理槽は、Ｃ／Ｎ比を調整するための有機性排水供給装置を備える、請求項６〜８のいずれか１項に記載の排ガス処理装置。
【発明の詳細な説明】
【技術分野】
【０００１】
本発明は、有機性可燃物の焼却時に発生する排ガスを湿式洗浄するとともに、湿式洗浄によって発生する有害物含有排水を生物処理によって浄化し、副産物として油脂を生産する、排ガス処理方法及び排ガス処理装置に関する。
【背景技術】
【０００２】
都市ごみや下水汚泥などの有機性可燃物を燃焼させる際に発生する排ガスには、煤塵、硫黄酸化物、塩素酸化物、及び窒素酸化物などの有害性物質が含まれている。しかしながら、これらの有害性物質を一度に効率よく除去できる万能処理方法は現在のところ存在せず、煤塵を除去するためのバグフィルタや電気集塵機、硫黄酸化物や塩素酸化物を除去するための湿式洗浄装置（湿式スクラバ）、窒素酸化物を除去するための乾式脱硝装置等を直列に連結して、排ガスを浄化している。
【０００３】
排ガスには、窒素酸化物と共に、アンモニアやシアン化物が含まれている。とりわけ、燃焼用空気が不足した場合や、空気と汚泥の混合が不十分であった場合には、酸素不足により、排ガス中にアンモニアやシアンが高濃度で含まれる。排ガス処理装置の前段に設けられた湿式洗浄装置では、アンモニア、シアン、及び窒素過酸化物が水に溶けて有害物含有排水となり、Ｎ２Ｏは水に溶けないため湿式洗浄装置を通過する。Ｎ２Ｏは、排ガス処理装置の後段に設置された、触媒反応を利用する乾式脱硝装置によって除去される。特許文献１及び２には、Ｎ２Ｏの乾式脱硝に係る発明が開示されている。
【０００４】
一方、アンモニア、シアン、及び窒素過酸化物を含む、前記有害物含有排水は、化学処理又は生物処理によって浄化される。特許文献３には、焼却炉排ガスを湿式処理するスクラバから排出されたスクラバ排水をｐＨ５〜１０の範囲において酸化剤の存在下で二酸化マンガンを触媒にして酸化処理する、スクラバ排水の処理方法が開示されている。
【先行技術文献】
【特許文献】
【０００５】
【特許文献１】特開平１０−１２８０６５号公報
【特許文献２】特開２００９−１８３８２７号公報
【特許文献３】特開平１１−１６５１８０号公報
【発明の概要】
【発明が解決しようとする課題】
【０００６】
しかしながら、前記有害物含有排水の排水処理について、例えば、特許文献３に記載された化学処理では、次亜塩素酸ナトリウム、過マンガン酸カリウム、又はオゾン等の酸化剤を投入する必要があり、環境への影響などを総合的に判断すると、好ましいものではない。一方、従来の生物処理では、副産物として活性汚泥が発生するが、この活性汚泥は再利用の価値が乏しく、最終的には焼却処理することになり、不経済な排ガス処理方法になっていた。
【０００７】
よって、本発明の目的は、有機性可燃物の焼却時に発生する排ガスを湿式洗浄するとともに、湿式洗浄によって発生する有害物含有排水を生物処理によって浄化し、副産物として油脂を生産する、排ガス処理方法及び排ガス処理装置を提供することにある。
【課題を解決するための手段】
【０００８】
上記目的を達成するため、本発明の排ガス処理方法は、有機性可燃物の焼却時に発生する排ガスに、水又は海水を接触させて、排ガス中の有害物を水又は海水に溶解させて除去し、それによって得られる有害物含有排水を栄養源として、油脂を生成蓄積する能力を有する従属栄養性藻類を培養することにより、前記有害物含有排水を浄化するとともに、前記従属栄養性藻類に油脂を蓄えさせ、前記培養によって油脂を蓄えた前記従属栄養性藻類を固液分離して回収することを特徴とする。
【０００９】
また、本発明の排ガス処理方法は、前記固液分離された前記従属栄養性藻類から、更に前記油脂を回収することができる。
【００１０】
また、本発明の排ガス処理方法は、前記従属栄養性藻類は、オーランチオキトリウム属、パリエチキトリウム属、シゾキトリウム属、スロストキトリウム属から選ばれた１種又は複数種であることが好ましい。
【００１１】
また、本発明の排ガス処理方法は、前記有害物含有排水のｐＨが４〜８となるようにｐＨ調整して、前記従属栄養性藻類の培養を行うことが好ましい。
【００１２】
また、本発明の排ガス処理方法は、前記有害物含有排水のＣ／Ｎ比が1〜４０となるように有機性排水を加えて、前記従属栄養性藻類の培養を行うことが好ましい。
【００１３】
本発明の排ガス処理装置は、有機性可燃物の焼却時に発生する排ガスに、水又は海水を接触させて、排ガス中の有害物を水又は海水に溶解させて除去する湿式洗浄装置と、前記湿式洗浄装置で得られる有害物含有排水を栄養源として、油脂を生成蓄積する能力を有する従属栄養性藻類を培養することにより、前記有害物含有排水を浄化するとともに、前記従属栄養性藻類に油脂を蓄えさせるための排水処理槽と、前記培養によって油脂を蓄積した従属栄養性藻類を回収する固液分離装置を備えることを特徴とする。
【００１４】
本発明の排ガス処理装置は、前記油脂を蓄積した前記従属栄養性藻類から、更に前記油脂を回収する油脂回収装置を備えることができる。
【００１５】
本発明の排ガス処理装置の前記排水処理槽は、水素イオン濃度計と、該水素イオン濃度計によって求められるｐＨに応じてｐＨ調整剤を供給するｐＨ調整装置とを備えることができる。
【００１６】
本発明の排ガス処理装置の前記排水処理槽は、Ｃ／Ｎ比を調整するための有機性排水供給装置を備えることができる。
【発明の効果】
【００１７】
本発明によれば、有機性可燃物の焼却時に発生する排ガスを湿式洗浄すると共に、湿式洗浄によって発生する有害物含有排水を生物処理によって浄化し、副産物として油脂を生産することができる。
【図面の簡単な説明】
【００１８】
【図１】本発明の一実施形態に係る排ガス処理装置の概略構成図である。
【発明を実施するための形態】
【００１９】
まず、本発明において有害物含有排水の生物処理に用いる、油脂を生成蓄積する能力を有する従属栄養性藻類について説明する。
【００２０】
本発明の従属栄養性藻類は、光合成を行なわず、水中の有機化合物を栄養素として成長し、油脂を効率的に生産して藻類体内に蓄積することができる。具体的には、オーランチオキトリウム（Aurantiochytrium）属に属する微生物、パリエチキトリウム（Parietichytrium）属に属する微生物、シゾキトリウム（Schizochytrium）属に属する微生物、スロストキトリウム（Thraustochytrium）属に属する微生物から選ばれた１種又は複数種を用いることができる。
【００２１】
ここに列挙した従属栄養性藻類は、淡水でも培養できるが、いずれも好塩性で、塩濃度が６％でも生育できる。海水の塩濃度は３〜３．５％であることから、海水を培養液として利用することができる。
【００２２】
オーランチオキトリウム属に属する微生物は、列挙した中では澱粉、セルロース及びタンパク質の分解能力において劣るが、人工海水５０％を含有するＬＢ培地上では２〜６時間で倍化し、上記４種のうち増殖速度では突出している。
【００２３】
ここで、「人工海水」とは、塩化ナトリウム３．０w/v％、塩化カリウム０．０７w/v％、塩化マグネシウム１．０８w/v％、硫酸マグネシウム０．５４w/v％、塩化カルシウム０．１w/v％の組成の水溶液のことである。
【００２４】
オーランチオキトリウム属に属する微生物は、単体で培養してもよいが、アミラーゼ、セルラーゼ、プロテアーゼ等を分泌する微生物と共に培養すると、前記酵素によって水中の有機化合物を分解が促進され、高効率で油脂を生産することができる。一方、オーランチオキトリウム属に属する微生物は、藻類体サイズ３０〜１００μｍに対して、細胞壁の厚さは２〜３μｍと薄く、例えば圧搾によって細胞壁を壊して油脂を取り出すこともできるが、有機溶媒抽出法によって低コストで効率的に油脂を回収することができる。藻類株としては、例えばオーランチオキトリウムNBRC102614、NBRC103268、NBRC103269等を用いることができる（NBRCの番号が付された藻類株は、独立行政法人  製品評価技術基盤機構から分譲を受けることが可能である。以下同様）。このうち、オーランチオキトリウムNBRC102614は、倍化時間が短く、油脂含有率が高いことから、本発明の排ガス処理方法においては、特に好ましい。
【００２５】
パリエチキトリウム属に属する微生物は、タンパク質や澱粉、セルロースを分解する酵素を分泌して、水中の有機化合物を分解することができる。ただし、上記培地での倍化時間は３〜８時間で、増殖速度はオーランチオキトリウム属よりも劣る。藻類体サイズ２０〜３０μｍに対して、細胞壁の厚さは２〜３μｍと薄く、油脂は上記と同様の方法によって容易に回収できる。藻類株としては、例えばパリエチキトリウム NBRC104108、NBRC102984等を用いることができる。
【００２６】
シゾキトリウム属に属する微生物は、アミラーゼ、セルラーゼ、プロテアーゼ等の酵素を分泌して水中の有機化合物を分解することができ、特に澱粉の分解に優れる。ただし、上記培地での倍化速度は８〜２４時間と遅い。藻類体サイズ２０〜３０μｍに対して、細胞壁の厚さは４〜６μｍと薄く、油脂は上記と同様の方法によって容易に回収できる。藻類株としては、シゾキトリウムATCC20888、ATCC20889、ATCC28209（ATCCの番号が付された藻類株は、American Type Culture Collectionから分譲を受けることが可能である。以下同様）、又はMYA-1391（同じくATCCより分譲を受けることが可能）を用いることができる。
【００２７】
スロストキトリウム属に属する微生物は、アミラーゼ、セルラーゼ、プロテアーゼ等の酵素を分泌して水中の有機化合物を分解することができ、特にタンパク質の分解に優れる。ただし、上記培地での倍化速度は２４時間と非常に遅い。藻類体サイズは３０〜１００μｍに対して細胞壁の厚さが２０〜３０μｍと厚く、油脂を抽出するには、藻類体を破砕した後に有機溶媒による抽出が必要である。藻類株としては、スロストキトリウムATCC18907、ATCC20890、ATCC20891、ATCC20892、ATCC24473、ATCC26185、ATCC28210、ATCC34304等を用いることができる。
【００２８】
次に、本発明の排ガス処理装置について、図１を用いて、以下に詳しく説明する。
【００２９】
図１に示された本発明の排ガス処理装置は、有機性可燃物を焼却するための焼却装置１と、焼却装置１から排出される排ガスに水又は海水を接触させて有害物含有排水を得るための湿式洗浄装置２と、前記有害物含有排水を栄養源とする従属栄養性藻類を培養し、前記従属栄養性藻類の生物処理によって前記有害物含有排水を浄化するための排水処理槽３と、前記培養によって藻類体内に油脂を蓄積した従属栄養性藻類を回収する固液分離装置４から構成されている。排水処理槽３には、水素イオン濃度計５と、水素イオン濃度計５によって求められるｐＨに応じてｐＨ調整剤を供給するｐＨ調整装置６が設置されている。また、排水処理槽３には、有機性排水を供給してＣ／Ｎ比を調製するための、有機性排水供給装置７が接続されている。また、排水処理槽３には、前記従属栄養藻類を導入するための藻類培養タンク９が接続されている。固液分離装置４には、固形分として回収された前記従属栄養性藻類から、油脂を回収する油脂回収装置８が設置されている。また、図示はしていないが、前記Ｃ／Ｎ比を測定するために、Ｃ／Ｎ比分析装置を付属させることができる。
【００３０】
以上は、プロセス変動にも対処できる排ガス処理装置の設備構成を述べたものであるが、プロセスが安定している場合は、一部の設備を省略して運用することができる。
【００３１】
例えば、焼却装置１において焼却処理される有機性可燃物の組成に変動がなく、その処理量も一定ならば、湿式洗浄装置２から排出され排水処理槽３に供給される有害物含有排水のｐＨが大きく変動する可能性は低いため、水素イオン濃度計５及びｐＨ調整装置６を省略し、必要に応じて人手でｐＨ調整してもよい。
【００３２】
また、湿式洗浄装置２で使用される洗浄液に有機化合物が含まれ、従属栄養性藻類の生育に必要とされるＣ／Ｎ比が確保されているならば、有機性排水供給装置７を省略することができる。
【００３３】
また、油脂回収装置８は、必ずしも固液分離装置４と同じ敷地内に設置する必要はない。例えば、油脂回収装置８を独立させて、別の場所に設置し、固液分離された従属栄養性藻類を含む汚泥を、そこまで運搬して処理することができる。
【００３４】
以下、本発明の排ガス処理装置において使用される、各装置の詳細について説明する。
【００３５】
図１において、本発明の排水処理設備で使用される焼却装置１は、特に限定されず、地方自治体が回収した都市ごみの焼却炉、産業廃棄物焼却炉、下水処理場における活性汚泥の焼却炉、石油化学プラントの廃ガス燃焼炉、鉱石焙焼炉、溶鉱炉、セメント焼成窯、火力発電所ボイラー、船舶ボイラー等であってもよい。
【００３６】
本発明の排ガス処理装置で使用される湿式洗浄装置２は、特に限定されず、スプレー塔、充填塔、バブリング塔、ベンチュリースクラバ、サイクロン等を用いることができる。洗浄液として、通常は淡水が用いられるが、海水を用いてもよい。また、排ガスに含まれる有害物質の吸収効率を高めるため、中和剤又は吸収剤を混入することができる。例えば、湿式洗浄装置２が、排煙脱硫を目的とする洗浄装置として用いられる場合は、石灰石粉末を水に懸濁させた石灰石スラリーが用いられ、硫酸イオンは石膏となって固液分離され、上澄み液を有害物含有排水として排水処理槽３に送り、生物処理することができる。
【００３７】
本発明の排ガス処理装置で使用される排水処理槽３は、特に限定されず、曝気槽と呼ばれる、散気機構を備えた水槽又はタンクを用いることができる。本発明で排水処理に供されるオーランチオキトリウム属、パリエチキトリウム属、シゾキトリウム属、及びスロストキトリウム属に属する従属栄養性藻類は好気性であるため、空気又は酸素を液中に散気し、前記微生物を活性化させて、有害物含有排水を生物処理することができる。
【００３８】
曝気槽は、単槽で用いてもよいが、複数個の曝気槽を直列に連結した多段連続槽式を採用することもできる。単槽での連続操作は、槽内が完全混合状態にあるために、有害物の一部が浄化水と混じり排出されるので、浄化効率は高くない。多段連続槽式にすれば、段階的に有害物含有量を減らして、浄化度の高い浄化水を得ることができる。
【００３９】
また、本発明の排水処理はオキシデ―ションディッチ法でもよい。この場合、排水処理槽３として、ローターを備えた長円形、円形又は馬蹄形の循環水路を使用する、オキシデ―ションディッチ法によれば、流入水量が変動する場合でも、安定した排水処理を行うことができる。
【００４０】
本発明の排ガス処理装置で使用される固液分離装置４は、特に限定されず、横流式沈殿槽、中心駆動円形沈殿槽、循環型沈殿槽、傾斜板沈殿槽、高速加圧浮上槽を用いることができる。
【００４１】
また、本発明の排ガス処理装置で使用される固液分離装置４は、更に従属栄養性藻類のフロックを脱水するための脱水機と、脱水した従属栄養性藻類のケーキを乾燥するための乾燥機とを備えることができる。脱水機は、特に限定されず、真空ろ過器、遠心脱水機、ベルトプレス、スクリュープレス等を用いることができる。乾燥機は、特に限定されず、ベルト式熱風乾燥機等を使用することができる。
【００４２】
本発明の排ガス処理装置で使用される水素イオン濃度計５は、電子式の市販のものを用いることができる。
【００４３】
本発明の排ガス処理装置で使用されるｐＨ調整装置６は、ｐＨ調整剤を貯留するタンクであって、自動又は手動によってバルブＶ１を開閉し、ｐＨ調整剤を排水処理槽３に注ぐことができる。酸性のｐＨ調整剤としては硫酸、塩酸、りん酸、酢酸、硝酸等を用いることができ、アルカリ性のｐＨ調整剤としては水酸化ナトリウム、水酸化カルシウム、アンモニア、海水等を用いることができる。
【００４４】
本発明の排ガス処理装置で使用される有機性排水供給装置７は、有機性排水を貯留する水槽又はタンクであって、自動又は手動によってバルブＶ２を開閉し、有機性排水を排水処理槽３に注ぐことができる。有機性排水は、特に限定されず、下水、産業排水、又は人工的に調製された培養液等を用いることができる。
【００４５】
本発明の排ガス処理装置で使用される油脂回収装置８は、特に限定されず、従属栄養性藻類の細胞壁を破壊する装置と、抽出溶媒を用いる油脂抽出装置と、固液分離装置とを組み合せた、油脂回収装置を用いることができる。従属栄養性藻類の細胞壁を破壊するために、超音波破砕機、ダイノミル等の粉砕機、又は、薬品を用いて化学分解するための撹拌槽型反応器を用いることができる。油脂抽出には、破砕した従属栄養性藻類と抽出溶媒を混練りするための撹拌槽型抽出装置、又は、破砕した従属栄養性藻類に抽出溶媒を通液させて抽出する抽出塔を用いることができる。抽出残渣と抽出液との固液分離には、真空ろ過器、遠心分離機、沈殿槽を用いることができる。
【００４６】
本発明の排ガス処理装置で使用される藻類培養タンク９は、排水処理槽３に従属栄養藻類を適宜供給するための培養タンクであって、従属栄養藻類の生育に適した培養条件に、常に調整されていることが好ましい。
【００４７】
本発明の排ガス処理に用いるオーランチオキトリウム属、パリエチキトリウム属、シゾキトリウム属、及びスロストキトリウム属に属する従属栄養性藻類は、細胞壁が薄いため、細胞壁破壊工程を省略し、浸透性の高い無極性有機溶媒を含む抽出溶媒を用いて直接抽出することもできる。この方法では、油脂回収装置８に、細胞壁破壊装置は含まれない。
【００４８】
なお、本発明の排ガス処理装置で使用される油脂回収装置８には、以上述べた装置の他、抽出液から水分又は有機溶媒を除くために、油水分離器、蒸発濃縮器、蒸留塔を付設することができる。
【００４９】
本発明において、有害物含有排水と有機性排水の混合比を決定するために行う、Ｃ／Ｎ比分析は、特に限定されず、例えばＰｒｅｇｌ-Ｄｕｍａｓ法を基本原理とする炭素、窒素同時定量装置を用いることができる。
【００５０】
以下、本発明の排ガス処理方法について、図１を用いて説明する。
【００５１】
前述したように、焼却装置１は、特に限定されず、地方自治体が回収した都市ごみの焼却炉、産業廃棄物焼却炉、下水処理場における活性汚泥の焼却炉、石油化学プラントの廃ガス燃焼炉、鉱石焙焼炉、溶鉱炉、セメント焼成窯、火力発電所ボイラー、船舶ボイラー等であり、したがって、そこで焼却される有機性廃棄物も様々であるが、焼却装置１から排出される排ガスは、窒素、二酸化炭素、水、酸素のほかに、窒素酸化物、シアン化物、アンモニア、硫黄酸化物、有機塩素化合物、未燃焼有機化合物等の有害物質が含有されている。
【００５２】
本発明の排ガス処理方法において、焼却装置１から排出され、前記有害物を含む排ガスは、湿式洗浄装置２において水又は海水と接触し、有害物質が水又は海水に溶解して有害物含有排水となり、浄化された排ガスは大気に放出される。
【００５３】
排水処理槽３に、湿式洗浄装置２から前記有害物含有排水が供給され、更に有機性排水供給装置７から有機性排水を加えることができる。排水処理槽３は、空気又は酸素によって爆気され、従属栄養性藻類が培養されている。従属栄養性藻類は、有害物含有排水と有機性排水とに含まれる窒素化合物及び有機物を栄養源として育ち、生物処理によって、有害物含有排水と有機性排水を混合した排水を浄化する。同時に、前記従属栄養性藻類は藻類体内に油脂を蓄積する。
【００５４】
排水処理槽３から、浄化された前記排水は、固液分離装置４に送られ、沈殿または浮上分離法によって、浄化水と従属栄養性藻類のフロッグに分離される。浄化水は河川放流となり、従属栄養性藻類のフロッグは排水処理槽３に戻される。
【００５５】
本発明の排ガス処理方法においては、固液分離装置４で分離された従属栄養性藻類のフロッグを脱水処理して、油脂回収装置８に供給することができる。従属栄養性藻類のフロッグ固液分離装置４からの抜き取りは、連続的に行ってもよいが、排水処理槽３における従属栄養性藻類の生育状況及び、従属栄養性藻類の油脂の蓄積状況を見て、間欠的に行うこともできる。
【００５６】
また、上記脱水処理は、運搬コスト低減と、油脂回収装置８における運転負荷低減のために行われ、真空ろ過、遠心脱水、ベルトプレス又はスクリュープレス等による脱水法を適用することができる。更に、脱水した従属栄養性藻類のケーキは、天日乾燥又は熱風乾燥してもよい。
【００５７】
油脂回収装置８では、従属栄養性藻類の細胞壁を破壊した後に、抽出溶媒を用いて油脂を抽出し、抽出液と残渣に固液分離して、油脂を抽出液として回収することができる。
【００５８】
また、別の実施形態として、細胞壁破壊工程は省略し、従属栄養性藻類の乾燥ケーキに、浸透性の高い無極性有機溶媒を含む抽出溶媒を接触させて、直接抽出することができる。前記無極性有機溶媒として、ノルマルヘキサン、ベンゼン、トルエン、ジメチルエーテル、ジエチルエーテルからなる群から選ばれる１種又は２種以上を用いることができる。
【００５９】
回収した抽出液は、水分及び溶媒を分離し、油水分離、蒸発濃縮、蒸留によって、油脂を精製することができる。
【００６０】
次に、排水処理槽３の運転条件について、更に詳しく説明する。
【００６１】
本発明の排ガス処理方法において、オーランチオキトリウム属、パリエチキトリウム属、シゾキトリウム属、スロストキトリウム属から選ばれた１種又は複数種の従属栄養性藻類を用いることができる。ここに挙げた従属栄養性藻類は、排水処理槽３においてｐＨ４〜８の環境で培養することが好ましく、ｐＨ５〜７の環境で培養することがより好ましい。ｐＨ４未満であると、藻類の生育が阻害されるため好ましくなく、ｐＨ８よりも大きいと藻類の油脂が鹸化するため好ましくない。
【００６２】
このため、排水処理槽３に水素イオン濃度計５を設置し、水素イオン濃度計によって求められるｐＨに応じてｐＨ調整装置６からｐＨ調整剤を供給することが好ましい。ｐＨ測定とｐＨ調整は、人手で行ってもよいが、自動にしてもよい。焼却装置１で焼却される有機性可燃物の処理量や組成が変動する場合は、有害物含有排水のｐＨも変動する。有機性排水供給装置７から供給される有機性排水についても、種々の要因により変動の可能性がある。しかし、排水処理槽３のｐＨ調整を自動制御にすれば、排水処理槽３よりも上流側の負荷変動に拘らず、生物処理を安定化することができる。
【００６３】
また、本発明の排ガス処理方法において、排水処理槽３の液のＣ／Ｎ比は、１〜４０であることが好ましく、１０〜３０であることがより好ましい。Ｃ／Ｎ比が１未満であると、藻類が藻類体増殖に傾き、油脂生成を行わないため好ましくなく、４０よりも大きいと藻類が増殖しないため、油脂を飽和に含んだ藻類体が増加しないで好ましくない。そこで、Ｃ／Ｎ比は、湿式洗浄装置２から供給される有害物含有排水に、有機性排水供給装置７から有機性排水を加えることによって、調整することができる。Ｃ／Ｎ比は、例えばＰｒｅｇｌ-Ｄｕｍａｓ法を基本原理とする炭素、窒素同時定量装置によって測定できるので、定期的にモニターし、必要に応じて有機性排水を加え、調整することができる。
【００６４】
本発明の排ガス処理方法において、排水処理槽３の水温は、１５〜４０℃であることが好ましく、２０〜３５℃であることがより好ましい。水温が１５℃未満であると、藻類の活性が著しく低下するため好ましくなく、４０℃よりも大きいと藻類が死滅するため好ましくない。必要に応じて、ヒーターで加熱し、排水処理槽３の水温を調整してもよい。
【００６５】
本発明の排ガス処理方法において、排水処理槽３の溶存酸素濃度は、１ｍｇ／L〜７ｍｇ／Lであることが好ましく、２ｍｇ／L〜４ｍｇ／Lであることがより好ましい。溶存酸素濃度が１ｍｇ／L未満であると、藻類の増殖速度、油脂生成量が低下するため好ましくなく、７ｍｇ／Lよりも大きいと曝気動力が大きくなるため好ましくない。
【００６６】
本発明の排ガス処理方法において、排水処理槽３の塩分濃度は、０．１％〜６．０％であることが好ましく、１．０％〜４．０％であることがより好ましい。塩分濃度が０．１％未満であると栄養塩が不足し、藻類が生育できないため好ましくなく、６．０％よりも大きいと培養液の浸透圧が高くなり、藻類の生育を阻害するため好ましくない。必要に応じて、淡水又は海水を加えて、排水処理槽３の塩分濃度を調整してもよい。
【００６７】
本発明の排ガス処理方法において、従属栄養性藻類の増殖及び／又は油脂生産力を高めるため、排水処理槽３に、更に微量栄養塩、ビタミン剤等を加えることができる。
【００６８】
本発明の実施形態について、以下に詳しく説明する。
【００６９】
人工海水（塩化ナトリウム３．０w/v％、塩化カリウム０．０７w/v％、塩化マグネシウム１．０８w/v％、硫酸マグネシウム０．５４w/v％、塩化カルシウム０．１w/v％）を純水で希釈した５０％人工海水に、亜硝酸ナトリウム２０ｍｇ／Ｌを含有する人工スクラバ排水９００ｍｌに、人工下水（ＢＯＤ１０００ｍｇ／Ｌ、ＴＮ５０ｍｇ／Ｌ）１００ｍｌを加えて培養液１Lを調製した。
【００７０】
前記培養液に、ＯＤ600（吸光度６００ｎｍ）が０．２となるように、オーランチオキトリウム（藻類株名NBRC102614）を添加し、液温３０℃、曝気量２５０ｍｌ／ｍｉｎ、撹拌速度１５０ｒｐｍの条件で２４時間培養した。オーランチオキトリウムは培養によって２ｇ／Ｌに増加した。
【００７１】
次に、培養液を遠心分離して、培養固形物（沈殿物）と浄化水(上澄み)に分離した。
【００７２】
培養固形物にヘキサン１０ｍｌを添加して攪拌した後、遠心分離して上澄みを回収し、７０℃で２時間保持してヘキサンを蒸発させ、０．５ｇの油脂を得た。
【００７３】
一方、前記浄化水を化学分析し、ＢＯＤ５ｍｇ／Ｌ、ＮＯｘ２ｍｇ／Ｌまで減少していることを確認した。
【符号の説明】
【００７４】
１：焼却装置
２：湿式洗浄装置
３：排水処理槽
４：固液分離装置
５：水素イオン濃度計
６：ｐＨ調整装置
７：有機性排水供給装置
８：油脂回収装置
９：藻類培養タンク
Ｖ１，Ｖ２，Ｖ３：バルブ
【図１】
0006402524.tif 000002